(57)【要約】 【課題】常時配電系に取り付けられ、電源供給を受けることなく電路の活線部分と非活線部分を目視で識別できる活線表示器および活線表示方法を提供する。【解決手段】活線表示器１は、内部が細隙の中空になった透明なガラス、又はプラスチックの容器１ａと、中空部に少量封入された磁粉１ｂとを備え、容器１ａは、Ｕ字状、または、半円状でケーブルの外側に例えば、ポリエチレン製などの非磁性体の紐状の固定具（タイバンド）４で取り付けられる。【選択図】  図１
2014003831.tif 000002
【特許請求の範囲】
【請求項１】
電気ケーブル、又は金属バーの配電体に非磁性体の保持手段によって取付けられる活線表示器であって、
内部の細隙状の容器の底部に層状となる量の磁粉が封入され、前記容器内部が目視できる透明なガラス、又はプラスチックからなり、前記配電体が通電時には前記磁粉が前記容器内部に漂遊して活線状態であることを表示することを特徴とする活線表示器。
【請求項２】
前記磁粉は、粒径１−１０μｍのフェライト、又は酸化第２鉄で有ることを特徴とする請求項１記載の活線表示器。
【請求項３】
前記磁粉は、蛍光体が表面を覆うか、又は蛍光体の微粉が容器に混入されていることを特徴とする請求項１又は２に記載の活線表示器。
【請求項４】
前記活線表示器は、前記配電体が水平方向に電流を流している部分に取付けられていることを特徴とする請求項１乃至３のいずれか１つに記載の活線表示器。
【請求項５】
電気ケーブル、又は金属バーの配電体に非磁性体の保持手段によって取付けられる活線表示器の活線表示方法であって、
前記活線表示器は、内部の細隙状の容器の底部に層状となる量の磁粉が封入され、前記容器内部が目視できる透明なガラス、又はプラスチックからなり、前記配電体が通電時には前記磁粉が前記容器内部に漂遊して活線状態であることを表示することを特徴とする活線表示方法。
【発明の詳細な説明】
【技術分野】
【０００１】
本発明の実施形態は、ケーブル配線が通電中で有ることを表示する活線表示器及び活線表示方法に関する。
【背景技術】
【０００２】
プラント電気設備の電気取扱作業において、活線作業における感電災害が発生しないよう諸施策が施されている。例えば、配電盤や機器装置のケーブル接続部分が通電中でもあるにも係わらず、非通電と勘違いする、または誤指示により通電部分に触れることによる感電事故防止策が望まれている。
【０００３】
通電確認方法として複数本が設置されたケーブルのどれが活線中で有るかを判別するために磁界センサを用いて判別する方法（例えば、特許文献１。）もあるが、電源供給を受け表示器を用いる測定器であって、常時配電系に取り付けられ簡便に通電状態であることを確認出来るものではない。
【０００４】
電気取扱作業で、ケーブル配線取り外し等にあたって、通電、非通電を測定装置を用いて確認するほか、印加電源を利用するパイロットランプ、例えば、低圧で放電点灯するネオンランプ、または内蔵するネオンランプにより通電確認を目視確認出来る検電ドライバの様な器具、装置がある。しかし、常時、電源や測定機を用いないで活線部分と非活線部分を目視で識別できる通電表示器具を実現することは困難な問題があった。
【先行技術文献】
【特許文献】
【０００５】
【特許文献１】特開平３―１７００７５号公報
【発明の概要】
【発明が解決しようとする課題】
【０００６】
電源や測定機を用いないで活線部分と非活線部分を目視で識別できる通電表示器具を実現することは困難な問題があった。本発明が解決しようとする課題は、常時配電系に取り付けられ、電源供給を受けることなく電路の活線部分と非活線部分を容易に目視で識別できる活線表示器及び活線表示方法を提供することである。
【課題を解決するための手段】
【０００７】
上記目的を達成するために、本実施形態の活線表示器は、電気ケーブル、又は金属バーの配電体に非磁性体の保持手段によって取付けられる活線表示器であって、内部の細隙状の容器の底部に層状となる量の磁粉が封入され、前記容器内部が目視できる透明なガラス、又はプラスチックからなり、前記配電体の通電時に前記磁粉が前記容器内部に漂遊して活線状態であることを表示することを特徴とする。
【０００８】
また本発明の活線表示器の活線表示方法は、電気ケーブル、又は金属バーの配電体に非磁性体の保持手段によって取付けられる活線表示器の活線表示方法であって、前記活線表示器は、内部の細隙状の容器の底部に層状となる量の磁粉が封入され、前記容器内部が目視できる透明なガラス、又はプラスチックからなり、前記配電体が通電時には前記磁粉が前記容器内部に漂遊して活線状態であることを表示することを特徴とする。
【図面の簡単な説明】
【０００９】
【図１】本実施形態に係わる活線表示器の一例を示す取付図。
【図２】本実施形態に係わる活線表示器の他の一例を示す図。
【図３】活線表示器の構造図の他の一例。
【図４】磁粉と、電流の作用を示す概念図。
【図５】活線表示器の取付の変形例。
【発明を実施するための形態】
【００１０】
以下実施形態の活線表示器を図面を参照して説明する。
【００１１】
図１は、端子板に接続されるケーブルに取り付けられた活線表示器の一例を示す取付図である。
【００１２】
図２は、活線表示器の構造図の一例である。
【００１３】
図３は、活線表示器の構造図の他の一例である。
【００１４】
図１（ａ）において、端子板ＴＢに取付けられる３相の各端子Ｐへの取付近傍にケーブル３の外皮部分、又は外皮を除去され裸になった導体（導線）２の部分に活線表示器１が取り付けられている。活線時の通電電流により発生する磁界に内部の磁粉が応答するため、磁束密度が高くなるよう出来るだけ導体に密着して容器が取り付けられる。図１（ｂ）は、バスバーの様な、板状の金属導体に活線表示器１を取り付ける場合の一例の取付図である。
【００１５】
図２において、活線表示器１は、内部が細隙ｄの中空になった透明なガラス、又はプラスチックの容器１ａと、中空部に少量封入された磁粉１ｂとを備えている。容器１ａは、Ｕ字状、または、半円状でケーブルの外側に例えば、ポリエチレン製などの非磁性体の紐状の固定具（タイバンド）４、図示しないがクリップ、又は接着剤等の保持手段で取り付けられる。
【００１６】
図２（ａ）は活線状態で磁粉が漂遊していることを示し、図２（ｂ）は非活線状態で磁粉が容器の底部に滞留している状況を示している。図２（ｃ）は、活線表示器１の容器が２重円筒状であり、非活線時の場合の状況を示している。
【００１７】
図３では、活線表示器１は、平板状で内部が細隙ｄの中空になった透明なガラス、又はプラスチックの容器１ａと、中空部に少量封入された磁粉１ｂとを備えている。平板状の容器が、バスバーの様な板状の導体２に図２と同様にタイバンド等の保持手段で取り付けられる。図３（ａ）は活線状態で磁粉が細隙ｄ内を漂遊していることを示し、図３（ｂ）、（ｃ）は非活線状態で磁粉が容器の底部に滞留している状況を示している。
【００１８】
磁粉１ｂは、図１の様に、縦に置かれた場合、中空の容器底部に目視出来る薄い層状程度の少量が封入され、容器が振られた場合、中空部を漂遊出来る程度であり、活線時に磁界によって浮遊した状況を目視確認する。
【００１９】
漂遊状態は、通電電流の大きさ、磁粉の種類、大きさ、量等によって一義的には決まらないが、点粒状の複数粉末から薄い膜状になるまで様々である。
【００２０】
磁性材料としては、例えば、粒径１−１０μｍ、密度４−６前後の表面が着色されたフェライトを用いる。また、粒径１−１０μｍの酸化第２鉄を用いても良い。この場合、時粉自体が赤色なので目視確認をし易い。前述の様に磁粉の封入量は、非通電時に容器１ａの底部に薄い層状、例えば、０．５ｍｍほど有れば良い。
【００２１】
この様に活線表示器１は、強磁性体粉末が、ケーブルを流れる電流の磁界に反応して浮遊することを利用しているので活線、即ち通電状態か、非通電かが表示可能である。
【００２２】
図４は、磁粉と、電流の作用を示す概念図である。
【００２３】
図４（ａ）は、活線（通電）時の状態で、交流の電源投入時に流れる電流に生じる磁界により磁粉１ｂが引き寄せられる。今ケーブルが水平に置かれている場合、電流と直角な方向、即ち重力に対して作用する方向に磁界が生じ、最初の半サイクル、又はそれに続く半サイクルで磁粉１ｂの少なくとも一部は底から上方に引き上げられ漂遊する。
【００２４】
特に電源投入時に、サージ電流がある場合、磁粉１ｂは舞い上がりやすくなり、その後は、略定常的な交番磁界を導体周囲に生じているので、磁粉１ｂは交番磁界に反応して上下しそのまま漂遊状態を継続する。そして、磁粉１ｂは外部から目視可能になる。また、例えば、酸化第２鉄が磁粉として用いられていると赤い粉末により容器内部表面が着色される。
【００２５】
また、電流が小さく漂遊する磁粉１ｂが微量になる様な場合、磁力非破壊検査に使用される磁粉と同様に磁粉表面が薄い蛍光剤で覆われるか、又は磁粉１ｂに混在するものを用いると蛍光灯の様な紫外線下で、通電時は容器内部が蛍光発光していることが容易に確認できる。
【００２６】
図４（ｂ）は、通電時であるが上下（垂直）方向に布設されたケーブルに取り付けられると、磁界は重力とは垂直方向に生じ、磁粉１ｂを引きつける力は微弱になってしまうことを示している。このことから活線表示器１の通電検出感度を上げるにはケーブルが水平方向になった部分に活線表示器１を取り付けることが判る。
【００２７】
図５は、活線表示器の取付方法の変形例である。
【００２８】
図５は、検出感度を上げるために、容器を円筒状にし、ケーブル３をその円筒に１回巻き付けるトロイダル状に取り付けている。例えば端子板４へ縦方向にケーブルが配置するように引き込まれている場合、電流によって発生する磁界は磁粉１ｂに働く重力とは９０度の水平方向になるため十分な反応が見られない。しかし、コイル状にすることにより導体が水平になる部分が生まれ、容器内部に重力と反応する方向で磁界が生じるので磁粉を捲き上げることが出来る。
【００２９】
また、導体２がバスバーの場合の活線状態の検出方法は、バスバーの水平設置部分の側面に活線表示器を取り付ければ、磁界に反応して磁粉が応答する。平面においても磁粉は上方向にも漂遊するので視認出来ることは側面からの視認と同様である。
【００３０】
ケーブル等に取り付けられている活線表示器を作業員が目視することにより、磁粉が舞い上がっていることに気が付くので接触感電の注意を喚起することが出来る。また、この活線表示器は、電源を用いていない簡便でパッシブな機器であることに加え、従来のランプ表示と異なり寿命劣化なども防ぐことが可能である。
【００３１】
以上述べた少なくともひとつの実施形態の活線表示器によれば、細隙容器に磁粉を封入した表示器を通電部分に近接させることにより磁粉が容器内部に漂遊することにより、活線、通電状態を表示することが可能となる。
【００３２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
１  活線表示器
１ａ  容器
１ｂ  磁粉
２  導体
４  固定具（タイバンド）
【図１】
2014003831.tif 000003
【図２】
2014003831.tif 000004
【図３】
2014003831.tif 000005
【図４】
2014003831.tif 000006
【図５】
2014003831.tif 000007